(57)【要約】      （修正有）【課題】携帯端末を使用して調理器具を制御するための方法を提供する。【解決手段】携帯端末２５が、調理器具としてのホブ１１から分離されており、携帯端末と調理器具の両方が、制御装置１７と、ＢＬＥ通信装置２１とを有する。方法は、調理器具及び携帯端末のスイッチを入れることと、指定された使用者方法によって、調理器具又は携帯端末において、両者の間の通信リンクを設定することと、使用者が使用者方法によって、通信リンクの設定を調理器具で確認すること、とを含む。通信リンクの確認時に、調理器具の通信装置と携帯端末の通信装置との間の通信リンクの信号強度が調理器具に記憶され、使用中に監視される。もし信号強度が、予め規定された信号強度限界値より下に低下したならば、携帯端末からの使用者指令が阻止される。【選択図】図１
2017201780.tif 000002
【特許請求の範囲】
【請求項１】
携帯端末を使用して調理器具を制御するための方法であって、
携帯端末が、調理器具から分離されており、調理器具が、少なくとも一つの加熱装置と、使用者による使用者指令の入力のための少なくとも一つの使用者要素と、制御装置と、携帯端末との無線通信のための通信装置とを有し、携帯端末が、それ自体の通信装置と、制御装置と、使用者による使用者指令の入力のための入力装置とを有し、方法が、以下の工程を有することを特徴とする方法：
−  調理器具、及びもし必要なら携帯端末のスイッチを入れること、
−  指定された使用者方法によって、調理器具と携帯端末との間の通信リンクを設定すること、
−  使用者が使用者方法によって、通信リンクの設定を調理器具で確認すること、
−  通信リンクの確認時に、調理器具の通信装置と携帯端末の通信装置との間の通信リンクの信号強度を調理器具に記憶すること、
−  通信リンクが存在する間に、無線通信によって、調理器具における通信リンクの現在の信号強度、又は携帯端末によって送信された使用者指令の信号強度を監視すること、
−  使用者による携帯端末での使用者指令の入力によって、携帯端末によって調理器具を使用すること、
−  通信リンクの信号強度及び／又は携帯端末から調理器具への受信された使用者指令の信号強度が、予め規定された信号強度限界値より下に低下した場合、携帯端末からの使用者指令を阻止するか、及び／又は調理器具と携帯端末との間の通信リンクを接続解除すること。
【請求項２】
指定された使用者方法が、調理器具及び／又は携帯端末に対するものであることを特徴とする、請求項１に記載の方法。
【請求項３】
単一の使用者指令、又は単一の使用者要素の操作が、調理器具と携帯端末との間の通信リンクの設定のための指定された使用者方法のために十分であることを特徴とする請求項１に記載の方法。
【請求項４】
調理器具及び携帯端末の両方に対する単一の使用者要素の操作が、調理器具と携帯端末との間の通信リンクの設定のための指定された使用者方法のために十分であることを特徴とする請求項１に記載の方法。
【請求項５】
通信リンクの設定の確認及び／又は通信リンクの接続解除が、視覚的に及び／又は聴覚的に示されることを特徴とする、請求項１に記載の方法。
【請求項６】
通信リンクの設定の確認及び／又は通信リンクの接続解除が、少なくとも携帯端末において示されることを特徴とする、請求項５に記載の方法。
【請求項７】
調理器具の状態が、携帯端末において示されることを特徴とする、請求項１に記載の方法。
【請求項８】
携帯端末を使用して制御可能な機能ユニット又は加熱装置に関する調理器具の状態が、携帯端末において示されることを特徴とする、請求項７に記載の方法。
【請求項９】
過剰に低下した信号強度のために通信リンクが接続解除された後、通信リンクは、通信リンクの最初の設定に相当する方法によってのみ復元可能であることを特徴とする、請求項１に記載の方法。
【請求項１０】
予め規定された信号強度限界値としての７ｄＢｍの最大値より大きい信号の変化が、通信リンクを接続解除することを特徴とする、請求項１に記載の方法。
【請求項１１】
信号強度限界値が、調理器具における通信リンクの確認時の信号強度の５０％以下であることを特徴とする、請求項１に記載の方法。
【請求項１２】
信号強度限界値が、調理器具における通信リンクの確認時の信号強度の２０％以下であることを特徴とする、請求項１１に記載の方法。
【請求項１３】
通信リンクの設定の確認のための予め規定された確認時間が、１０秒以下であることを特徴とする、請求項１に記載の方法。
【請求項１４】
通信リンクが、Ｂｌｕｅｔｏｏｔｈ（登録商標）規格に従って設計されていることを特徴とする、請求項１に記載の方法。
【請求項１５】
通信リンクが、携帯端末における調理器具に対する使用者指令の実行の結果として設定され、調理器具における通信リンクの設定の不可避的な続く確認の直後に、開始使用者指令がまた、調理器具において実行されることを特徴とする、請求項１に記載の方法。
【請求項１６】
請求項１に記載の方法を実行するために設計された通信装置及び制御装置を有することを特徴とする調理器具。
【発明の詳細な説明】
【技術分野】
【０００１】
本発明は、調理器具から分離されている携帯端末（好ましくは携帯電話又はタブレットコンピュータ）を使用して調理器具を制御するための方法に関する。
【背景技術】
【０００２】
ＤＥ１９８０２５５８Ａ１は、遠隔制御を使用した調理器具としてのホブの制御の実施を開示する。この遠隔制御は、例えば、ＩＲ通信リンクによって操作することができる。
【発明の概要】
【発明が解決しようとする課題】
【０００３】
本発明は、最初に述べた調理器具を制御するための方法を提供する目的に基づいている。また、本発明は、この方法を実行するために設計された調理器具であって、従来技術の問題を解決することができ、特に調理器具での調理工程が簡便かつ安全に実行されることを可能にする調理器具に関する。
【課題を解決するための手段】
【０００４】
この目的は、請求項１の特徴を有する方法、及び請求項１６の特徴を有する、この方法を実行するために設計された調理器具によって達成される。本発明の有利で好ましい実施形態は、さらなる請求項の主題であり、以下にさらに詳述される。この場合、いくつかの特徴は、方法についてのみ、又は調理器具についてのみ記述される。しかし、これにもかかわらず、それらは、互いに独立して、方法及び調理器具の両方のために適用されることができることを意図される。特許請求の範囲の記載は、明白な参照によって明細書の内容にされる。
【０００５】
本発明の方法は、調理器具（特にホブ）が、調理器具から分離されている携帯端末を使用して制御されることを可能にする。調理器具は、少なくとも一つの加熱装置又は別の機能ユニットを有する。特に、それは、使用者による使用者指令の入力のための少なくとも一つの使用者要素（有利には、複数のかかる使用者要素を有する使用者装置）を有する。これらは、機械的に操作可能であることができるか、又はタッチセンサーとして知られるものであることができる。さらに、調理器具は、制御装置と、携帯端末との無線通信のための通信装置と、もし必要なら、視覚的に及び／又は聴覚的に作動することができる表示器とを有する。
【０００６】
携帯端末は、それ自体の通信装置と、制御装置と、使用者による使用者指令の入力のための入力装置とを有する。携帯端末の入力装置は、公知のタッチセンサーを使用することが有利である。しかし、これは、携帯電話やタブレットコンピュータなどの携帯端末のための本来的に標準の慣習である。
【０００７】
本発明の方法は、以下の工程を有する。まず、調理器具及び携帯端末のスイッチが入れられるか又は、これらはスイッチが入っているべきである。ある場合には、適用可能なプログラム又は「ａｐｐ」として知られるものが、携帯端末において開始されることが必要である。次に、二つの装置の間の通信リンクを設定するために使用される、調理器具及び／又は携帯端末における指定された使用者方法が、この通信リンクを設定する。有利には、指定された使用者方法は、携帯端末において実行される。例えば、それはプログラム又は「ａｐｐ」の予め記載された開始によって自動的に開始されることができる。次に使用者による使用者方法によって、通信リンクの設定が調理器具で確認される。有利には、これは、調理器具の上述の使用者要素を操作することによって実行される。これは、使用者が通信リンクのこの設定に気付くこと、及びそれが意図的に設定されることを確実にする。有利には、この確認は、予め規定された確認時間内で実行される。そして、もしこの確認が実行されなければ、通信リンクは再度低下されるか、又は設定されない。これは、以下でさらに詳述される。
【０００８】
通信リンクの確認時に、調理器具の通信装置と携帯端末の通信装置との間の通信リンクの信号強度が調理器具に記憶される。有利には、この信号強度は、調理器具の制御装置に記憶される。通信リンクが存在する間又は調理器具が携帯端末によって制御されている間に、無線通信によって、調理器具における通信リンクの現在の信号強度、又は携帯端末によって送信された使用者指令の信号強度が監視される。これは、両方の装置において実行されることができるが、有利には、少なくとも調理器具において実行されることができる。次に、使用者による携帯端末での使用者指令の入力によって、携帯端末によって調理器具が使用される。例えば、加熱装置又は別の機能ユニットは、その出力又は操作の他のモードを変更されたり、スイッチをオンにされたり、スイッチをオフにされたりされることができる。これは、携帯端末とホブ自体の両方において実行されることができる。
【０００９】
もし通信リンクの現在の信号強度を監視している間に特定の範囲を超える低下が識別されたなら、つまり、もし信号強度が予め規定された信号強度限界値より下に低下したら（この低下は、通信リンク自体から及び／又は携帯端末から調理器具への受信された使用者指令から決定されることができる）、携帯端末からの少なくとも一つの使用者指令は、調理器具において阻止されるか、又はある場合には、調理器具と携帯端末との間の通信リンクが接続解除される。この安全機能は、携帯端末を持つ使用者が調理器具から遠すぎる場所に移動したときを識別することができるということを意味する。この理由は、この場合には、調理器具とのさらなる又はさらに制限されない視覚的な接触がたぶん存在しないので、どのように調理器具が作動しているかを正確に制御することがもはや不可能であるという問題があるからである。安全上の理由のため、携帯端末から調理器具への使用者指令は阻止され、次に通信リンクの接触解除が実行される場合すらある。この場合、本発明の一つの実施形態では、最も最近の安全に作動された状態で作動しつづけるホブが提供されることができる。つまり、ホブは、加熱装置の出力を低下させたり、完全に停止する必要はない。ホブは、携帯端末を使用してもはや制御されることができないだけである。しかし、調理器具自体については、正常な制御が制限なしに続けられることができる。もちろん、これは、使用者が調理器具の近くに再度立つことを必要とする。
【００１０】
本発明の一つの実施形態では、単一の使用者指令、又は単一の使用者要素の操作が、調理器具と携帯端末との間の通信リンクの設定のための指定された使用者方法のために十分である。上述のように、携帯端末でのプログラム又は「ａｐｐ」の開始だけで、この場合の適用可能な使用者指令として十分であることができるが、グラフィックで表示されることができる携帯端末における特定の使用者指令が適用可能になるとすぐに、前記使用者指令が入力される。
【００１１】
本発明の代替的な実施形態では、調理器具における使用者要素の操作、及び携帯端末における使用者要素の操作が、調理器具と携帯端末との間の通信リンクを設定するための指定された使用者方法のために必要である。従って、複雑さはいくらか増大するが、使用者の安全性は、同時に明らかに増大する。
【００１２】
本発明の有利な実施形態では、通信リンクの設定の確認及び／又は通信リンクの接続解除は、視覚的に及び／又は聴覚的に示される。このように、使用者も、通信リンク、従って携帯端末によって調理器具を操作するオプションが設定されたことを信頼性を持って通知される。かかる表示は、少なくとも携帯端末において、そして有利には調理器具においても実行されることができる。聴覚的な指標は、短くあるべきであり、例えば、単回の又は複数回の信号音の形であることができる。対照的に、視覚的な指標は、永続的に存在することもでき、例えば、通信リンクが設定されて存在することを示す、携帯端末及び／又はホブにおける適用可能な光表示器によることができる。
【００１３】
本発明のさらなる実施形態では、調理器具の状態、特に携帯端末を使用して制御されるか又は制御可能な機能ユニット又は加熱装置に関する調理器具の状態は、携帯端末において示される。これは、通信リンクの信号強度が、許容可能なレベルより多く変化したときに実行されることもできる。従って、使用者は、携帯端末における全ての情報（この情報は、ホブにおいても示されるだろう）を見ることができる。これは、特に、携帯端末による調理器具の安全で便利な制御のために有利である。しかし、これについては、冒頭で引用した従来技術及び他の公知の従来技術が参照される。これらの従来技術は、そのための多数のオプションを記述している。従って、自動的な調理プログラムが携帯端末において実行されて使用者指令を調理器具に送信することも可能であり、これは、プログラムによる提案及び使用者によるそれぞれの確認によって半自動的に、又は自動的に実行されることができる。使用者は、決定された調理プログラムを容易に実行することができ、個別のデータ及びパラメータは、携帯端末によって予め規定される。携帯端末から読み出された後の調理器具の正常な手動使用に勝る利点として、携帯端末において提案された使用者指令は、使用者によって確認されるだけでよいことができる。例えば、調理プログラムの途中で携帯端末がホブのために「７」の調理レベルを提案して、これが使用者によって確認されることだけが必要であることができる。これは、ホブ自体において「７」の調理レベルを設定しなければならない場合と比べて明らかに簡単である。
【００１４】
本発明の実施形態では、過剰に低い又は過剰に低下した信号強度のために通信リンクが接続解除された後（つまり、冒頭で引用した信号強度限界値より下に低下したとき）、通信リンクは自動的に復元されない。これは、たとえ更新された近さの結果として信号強度が再び上昇したとしてもそうである。通信リンクは、特定の使用者手順によってのみ復元可能である。この特定の使用者手順は、冒頭で説明したように、最初の設定のための方法又は通信リンクを確認するための方法に相当することが有利である。これは、携帯端末による調理器具の意識的な制御及び通信リンクの接続解除の後でさえも、通信リンクの接続解除は、使用者の誤り又は危険な状況を回避するために、使用者によって意識的に及び意図的に復元されることを確実にする。
【００１５】
７又は８ｄＢｍの最大値、好ましくは５ｄＢｍの最大値より大きい信号の変化又は信号の低下が、携帯端末からの使用者指令を阻止するか又は通信リンクを接続解除すらすることができる。代替的に、信号強度限界値は、調理器具における通信リンクの確認時の信号強度の５０％以下であることができる。有利には、信号強度限界値は、調理器具における通信リンクの確認時の信号強度の２０％以下であることができる。従って、もし信号強度が通信リンクの確認時の信号強度の２０％以下に低下したら、制御装置が介入する。
【００１６】
本発明の有利な実施形態では、通信リンクの設定の確認のための予め規定された確認時間は、１０秒以下、有利には３秒以下であることができる。これは、携帯端末からの要求の後に調理器具において通信リンクの設定を使用者が確認するまで使用者はそんなに長く待てないということを意味する。
【００１７】
本発明のさらなる実施形態では、使用者要素の作動（これは、通信リンクの設定を確認するためにも使用されることができる）は、調理器具によって継続される上述の予め規定された確認時間より長い時間の間、自発的に、調理器具への通信リンクのために準備ができている携帯端末を探すことができる。かかる時間は、例えば上述の予め規定された確認時間より５秒長く持続することができる。さらに、調理器具によって接続解除されるべき携帯端末への通信リンクを促進するために、この使用者要素の作動は、より長い時間例えば１０秒以上又は２０秒以上持続することができる。
【００１８】
有利には、通信リンクは、Ｂｌｕｅｔｏｏｔｈ（登録商標）規格に従って、特にＢＬＥ規格に従って作動することができる。これは、低い信号強度の使用を含み、これは、ある場合には、安全性の理由のために好ましい。さらに、かかる低い信号強度を使用すると、信号強度の低下（これは、上述のような通信リンクの接続解除を実行することができるようにするために必要である）は、より大きな度合いで生じることがあり、従って、より認識しやすい。最後に、例えば安全性の理由のために、調理器具と携帯端末との間に１０ｍ以上の距離及び明確な視界があるときはいつでも、通信リンクは接続解除されることが必要である。代替的に、例えばＺｉｇＢｅｅ規格に従って、異なる又は類似の無線リンクが使用されることができる。
【００１９】
本発明の一つの実施形態では、通信リンクが、携帯端末における調理器具に対する使用者指令の実行の結果として設定され、調理器具における通信リンクの設定の続く確認の直後に、開始使用者指令がまた、調理器具において実行されることができる。これは、上述の一連の工程の結果として、数秒以内に、より速い使用者方法が実行されることができることを意味する。これは、使用者指令が使用者によって実際に要求され、そしてまた制御されることが確実であるのならば回避することができない。従って、調理器具における通信リンクの設定の確認後、使用者指令を携帯端末において再び直接入力することを不要にすることができる。
【００２０】
有利には、調理器具は、単に上述のホブである。つまり、それは、複数の加熱装置（例えば、四つの加熱領域について四つの加熱装置）を有する。これらの四つの加熱領域は、携帯端末によって制御されることができる。もし必要なら、さらなる設定をすることも可能である。このさらなる設定は、例えば、タイマーのプログラミングや加熱装置についてのブースト出力レベルとして公知のものである。後者は、予め規定された短い時間の間、過大な出力が生成されることを含むが、かかる過大な出力は、連続した出力としては維持されることができない。
【００２１】
これらの及びさらなる特徴は、請求項からだけでなく、明細書及び図面からも現れ、個々の特徴は、各場合において本発明の実施形態において及び他の分野においてサブコンビネーションの形で個々に又は幾つかで実現されることができ、保護がここで請求される有利で独立して保護可能な実施形態を構成することができる。本願の小見出し及び個々のセクションへの分割は、それらの一般的な適用性に関して、これらの下で作られる文章を制限しない。
【図面の簡単な説明】
【００２２】
本発明の例示的な実施形態は、図面において概略的に示され、以下により詳細に述べられるだろう。
【図１】図１は、携帯端末として携帯電話を有するホブの使用の模式図を示す。
【図２】図２は、方法の順序及び制御装置の作動を示すための機械状態を示す。
【発明を実施するための形態】
【００２３】
図１は、調理器具としての本発明によるホブ１１を極めて模式的な様式で示す。前記ホブの上部又はホブ板１２は、複数の加熱装置１３を有する。これらの加熱装置１３は、作動されて出力を供給され、従って、ホブ中の出力作動回路１５によって操作されることができる。出力作動回路１５は、ホブ１１の制御装置１７に接続されている。この制御装置１７は、ホブ１１の全体のための中央制御装置であることができ、例えば、使用者装置の使用者要素１８及びホブ１１の上部の視覚的表示器１９を作動させることができる。当然のことながら、現代の調理器具及びホブにおいて標準であるように、実質的により多くの現代的な設計の使用者要素及び視覚的表示器が与えられてもよい。
【００２４】
制御装置１７は、アンテナ２２を有する通信装置２１に接続されている。この通信装置２１は、Ｂｌｕｅｔｏｏｔｈ（登録商標）規格に従って、有利には、ＢＬＥ規格に従って（つまり、低出力で）作動する。これは、数メートル（例えば、５ｍ〜１０ｍ）の範囲の特定の最小距離又は限界距離の決定又はある種の距離決定の上述の目的のために役立つ。これは、信号強度の監視によってさらに良好に実施することができる。代替的に、それは、ＺｉｇＢｅｅ規格又は他の同様の無線プロトコールに従って作動することができる。
【００２５】
さらに、図１は、本発明による携帯端末としての携帯電話２５を示す。携帯電話２５は、スマートフォンの形態であり、標準的な制御装置２７だけでなく、アンテナ３０を有する通信装置２９も含む。これは、Ｂｌｕｅｔｏｏｔｈ（登録商標）規格、又は有利にはＢＬＥ規格に従って設計されている。
【００２６】
図１に見える表現では、携帯電話２５は、ホブ１１から距離ｄに位置されている。正確に言うと、アンテナ２２及び３０が互いにこの距離ｄに位置されている。しかし、ホブ１１及び携帯電話２５の公知の限られた装置寸法のため、これは関係ない。
【００２７】
図２による機械状態は、本発明による方法の順序を多かれ少なかれ模式的に示す。又は、前記順序は、図２から理解されることができる。最初に、ホブ１１及び携帯電話２５は、スイッチを入れられており、制御目的のために、例えば携帯電話２５に対する使用者の制御に基づいて、相互に接続されることを意図される。もし接続の準備ができている装置がホブ１１によって発見されなければ、右向きの矢印は、その時点で接続が待たれることを示す。次に、ホブ１１上の使用者要素１８は、「Ｐ」として、例えば５秒〜１０秒間作動されることができ、これにより、ホブは、接続設定のためのモードに入り、携帯端末への接続を設定することを試みる。もしこれが例えば５分間不可能であるなら、制御装置は、時間切れの後に元に戻り、使用者要素１８が必要により新しいサーチのために再度操作されるのを待つ。もし携帯電話２５への接続がその右側のボックスに示されるように成功したら、通信リンクの設定が開始され、左上の大きなボックスに移動する。通信リンクの設定は、以下の事象の一つが生じる限り、試みられる。使用者要素１８は、例えば１０秒より長い時間の間、再び「Ｐ」として押され、次に曲がった上方への矢印によって示されるように、携帯電話２５への接続が再度解除される。携帯電話２５において通信リンクの確認が行なわれることができる。これは、次に、左下のボックスとして存在する。次に、もし使用者要素１８が例えば０．３秒以上操作されたなら、方法は、その右側のボックス、つまり下部の中央のボックスに移動する。次に、通信リンクが設定され、ホブ１１は、右下のボックスによって示されるように、携帯電話２５を使用して操作されることができる。例えば、ホブの加熱板は、スイッチをオン／オフされることができ、その出力は、調整されて変更されることができる。引用された信号強度限界値ＲＳＳＩｍａｘより下の信号強度ＲＳＳＩがホブ１１の通信装置２１にある限り、通信リンクは、生きており、ホブ１１は、携帯端末を使用して操作されることができる。ホブ１１は、携帯電話２５から確認される全ての又は少なくとも多数の機能を有することができ、これは、特に加熱装置１３の出力調整、及びスイッチのオン／オフを含む。他の無線プロトコールについては、異なる名称の信号強度限界値があるだろう。
【００２８】
しかし、もし通信リンクが携帯電話２５によって確認されなければ、方法は左下のボックスに戻る。この場合、二つの装置は相互に接続されているが、この通信リンクは、希望の使用に対して機能的でない。
【００２９】
上述のように、通信リンクは、例えば１０秒以上の長い時間の使用者要素の操作によってこの状態において再度接続解除されることもできる。又は、ここで記述したように、携帯電話２５からの使用者指令は、接続がそれ自体存在するときに阻止される。使用者要素を１０秒以上操作することによって、全ての公知の接続された外部装置を結合解除又は接続解除することも可能である。次に、ホブ１１は、さらなる外部使用が不可能であり、さらなる状況情報が通信されない状態に入る。結合方法又は接続方法の新規の開始のみによって、通信装置２１が再活動される。
【００３０】
通信リンクの確認時に、ホブ１１又は通信装置２１での信号強度ＲＳＳＩが測定される。さらに、上述の信号強度限界値ＲＳＳＩｍａｘは、例えば上述のように、通信リンクの確認時の信号強度の５０％以下、又は２０％以下であるとして規定される。代替的に、５ｄＢｍ又は７ｄＢｍより大きい信号の変化が、使用者指令を阻止するか又は通信リンクを接続解除することができる。この信号強度は、連続的に測定される。信号強度が有意に変化しない限り（例えば、携帯電話２５を持っている使用者がホブ１１の近くにいるか、又は少なくとも携帯電話２５がホブ１１の近くにある場合であり、つまり距離ｄが短い場合である）、通信リンクは維持され、ホブ１１は、携帯電話２５を使用して制御されることができる。もし使用者が遠くに離れた（例えば、使用が部屋の外に出て行った）が、携帯電話２５はホブ１１の近くに静止して位置されているのなら、これは、通信リンクの接続解除や使用者指令の阻止をもたらさない。使用者はホブ１１の状態を監視することができないが、同時に、使用者は、使用者指令を入力したり、ホブ１１の作動状態を変化させたりすることができない。
【００３１】
もし信号強度が上述の信号強度限界値より下に低下するか又は大きく変化しすぎたら、通信リンクは、接続解除され、少なくともホブが携帯電話２５を使用して制御されることはもはや可能でない。この場合、携帯電話２５からホブ１１への使用者指令は、制御装置１７によって単に阻止される。通信リンクを維持しながら同時に使用者指令を阻止することは、通信リンクが復元されるための又は使用者指令がもはや阻止されないための簡単な事項であるという利点を有する。これは、使用者要素１８が例えば再度５秒以下の時間「Ｐ」として操作されることのみを要求する。このようにして、使用者は、彼がホブ１１の近くに再度存在しており、再度制御を有することを信号で知らせる。しかし、ホブ１１の設定出力又は持続タイマーなどの状態情報は、たとえ携帯電話による外部制御がもはや可能でなくても、携帯電話２５に表示されつづけることができる。
【００３２】
信号強度限界値ＲＳＳＩｍａｘより下への低下によって使用者指令がこのように阻止されると、方法は、下部の最も右側のボックスから下部の最も左側のボックスに戻る。３秒以下の時間の「Ｐ」としての使用者要素２５の上述の新規の操作（これは、例えば、さらなる安全機能として、５分、１０分又は２０分以内であることも必要である）の結果として、方法は再度、下部の最も右側のボックスに移動し、従って、携帯電話２５によってホブ１１が以前のように制御されることができるようになる。
【図１】
2017201780.tif 000003
【図２】
2017201780.tif 000004